(57)【要約】【課題】設計自由度を損ねずに、シャフトの着脱機能とヘッド重心位置の調節機能とを両立させる。【解決手段】ゴルフクラブヘッド２と、ゴルフクラブヘッド２に取り外し可能に固定されているシャフト３と、ゴルフクラブヘッド２に取り外し可能に固定されている錘部材３０とを有するゴルフクラブ１であって、ヘッド底面側に、第１孔部２１と、第２孔部２２とが設けられる。錘部材３０は、第１錘部材３１と、第２錘部材３２とを含む。第１孔部２１に、シャフト３と第１錘部材３１とをヘッド２に固定するための第１ネジ具２３が取り付けられる。第２孔部２２に、第２錘部材３２をヘッド２に固定するための第２ネジ具２４が取り付けられる。第１錘部材３１は、第１孔部２１から取り外され、かつ、第２ネジ具２４で第２孔部２２側に取り付け可能である。第２錘部材３２は、第２孔部２２側から取り外され、かつ、第１ネジ具２３で第１孔部２１側に取り付け可能である。【選択図】図４
2015008820.tif 000002
【特許請求の範囲】
【請求項１】
ゴルフクラブヘッドと、前記ゴルフクラブヘッドに取り外し可能に固定されているシャフトと、前記ゴルフクラブヘッドに取り外し可能に固定されている錘部材とを有するゴルフクラブであって、
前記ゴルフクラブヘッドの底面側には、第１孔部と、第２孔部とが設けられ、
前記錘部材は、第１錘部材と、第２錘部材とを含み、
前記第１孔部に、前記シャフトと前記第１錘部材とを前記ゴルフクラブヘッドに固定するための第１ネジ具が取り付けられ、
前記第２孔部に、前記第２錘部材を前記ゴルフクラブヘッドに固定するための第２ネジ具が取り付けられ、
前記第１錘部材は、前記第１孔部から取り外され、かつ、前記第２ネジ具で前記第２孔部に取り付け可能であり、
前記第２錘部材は、前記第２孔部から取り外され、かつ、前記第１ネジ具で前記第１孔部に取り付け可能であることを特徴とするゴルフクラブ。
【請求項２】
前記第１ネジ具は、前記第１孔部から取り外され、かつ、前記第２錘部材を前記ゴルフクラブヘッドに固定するために前記第２孔部に取り付け可能であり、
前記第２ネジ具は、前記第２孔部から取り外され、かつ、前記シャフトと前記第１錘部材とを前記ゴルフクラブヘッドに固定するために前記第１孔部に取り付け可能である請求項１記載のゴルフクラブ。
【請求項３】
前記ゴルフクラブヘッドは、筒状のホーゼル部を含み、
前記ホーゼル部は、前記シャフトが挿入される上側開口と、底面側に表れる下側開口とを有するシャフト差込孔を具えており、
前記シャフトの先端には、ネジ孔が設けられたスリーブ部材が固着されており、
前記第１孔部は、前記下側開口からヘッド内部にのびる空間と、前記シャフト差込孔に挿入された前記スリーブ部材の前記ネジ孔とを含んで形成されている請求項１又は２記載のゴルフクラブ。
【請求項４】
前記第１錘部材及び第２錘部材は、前記第１ネジ具及び前記第２ネジ具が挿入される貫通穴を有している請求項１乃至３のいずれかに記載のゴルフクラブ。
【請求項５】
前記第１錘部材は、前記スリーブ部材と前記第１ネジ具との間で保持されている請求項３記載のゴルフクラブ。
【請求項６】
前記第１錘部材と前記第２錘部材とは、それぞれ、複数個の錘片を含んでいる請求項１乃至５のいずれかに記載のゴルフクラブ。
【請求項７】
前記第１錘部材と前記第２錘部材とは、前記錘片の単位で互いの位置交換が可能である請求項６記載のゴルフクラブ。
【請求項８】
前記第１錘部材又は前記第２錘部材において、前記複数個の錘片は、いずれも同じ大きさであるが、異なる質量を有している請求項６又は７記載のゴルフクラブ。
【請求項９】
前記第１錘部材又は前記第２錘部材において、前記複数個の錘片は、互いの位置が交換可能である請求項６乃至８のいずれかに記載のゴルフクラブ。
【請求項１０】
前記第１ネジ具と、前記第２ネジ具とは、互いに異なる質量を有している請求項１乃至７のいずれかに記載のゴルフクラブ。
【発明の詳細な説明】
【技術分野】
【０００１】
本発明は、ゴルフクラブヘッドと、該ゴルフクラブヘッドに取り外し可能に固定されているシャフトと、前記ゴルフクラブヘッドに取り外し可能に固定された錘部材とを有するゴルフクラブに関し、詳しくは、ゴルフクラブヘッドの重心位置を調節することができるゴルフクラブに関する。
【背景技術】
【０００２】
下記特許文献１は、ゴルフクラブヘッドとシャフトとの着脱が可能なゴルフクラブを提案している。このゴルフクラブは、例えば、シャフト差込孔を有するホーゼル部を具えており、そこには上側からシャフトの一端が挿入される。シャフト差込孔の下部側に設けられた第１孔部には、シャフトをゴルフクラブヘッドに固定するためのネジが取り付けられる。このようなゴルフクラブは、ゴルファーが、ヘッド又はシャフトを付け替えることができるという利点を持つ。しかしながら、このゴルフクラブは、ヘッドの重心位置を調節することについては、考慮されていない。
【０００３】
ゴルフクラブヘッドとシャフトとの着脱が可能なゴルフクラブにおいて、ヘッドの重心位置を調節する機能を有するものが提案されている。この種のゴルフクラブには、例えば、ゴルフクラブヘッドの底面側に、さらに、複数個の第２孔部が設けられている。各第２孔部には、質量が異なる複数個の錘部材が取り付けられる。各錘部材は、互いの位置を交換しうるように、いずれの第２孔部にも取り付けることができる形状を有している。従って、ゴルファーは、錘部材の位置を変えることにより、ゴルフクラブヘッドの重心位置を調節することができる。
【０００４】
しかしながら、上述のゴルフクラブヘッドは、ヘッド底面側に多くの第２孔部が設けられるため、ヘッドの設計自由度を損ねるという問題があった。特に、ヘッド体積が小さいフェアウェイウッド等のゴルフクラブヘッドにあっては、多くの第２孔部を設けることが困難であった。
【先行技術文献】
【特許文献】
【０００５】
【特許文献１】特開２０１２−８６０１０号公報
【発明の概要】
【発明が解決しようとする課題】
【０００６】
本発明は、以上のような問題点に鑑み案出なされたもので、ゴルフクラブヘッドとシャフトとが着脱可能なゴルフクラブにおいて、設計自由度の低下を防止しつつヘッドの重心位置を調節することができるゴルフクラブを提供することを主たる目的としている。
【課題を解決するための手段】
【０００７】
本発明のうち請求項１記載の発明は、ゴルフクラブヘッドと、前記ゴルフクラブヘッドに取り外し可能に固定されているシャフトと、前記ゴルフクラブヘッドに取り外し可能に固定されている錘部材とを有するゴルフクラブであって、前記ゴルフクラブヘッドの底面側には、第１孔部と、第２孔部とが設けられ、前記錘部材は、第１錘部材と、第２錘部材とを含み、前記第１孔部に、前記シャフトと前記第１錘部材とを前記ゴルフクラブヘッドに固定するための第１ネジ具が取り付けられ、前記第２孔部に、前記第２錘部材を前記ゴルフクラブヘッドに固定するための第２ネジ具が取り付けられ、前記第１錘部材は、前記第１孔部から取り外され、かつ、前記第２ネジ具で前記第２孔部に取り付け可能であり、前記第２錘部材は、前記第２孔部から取り外され、かつ、前記第１ネジ具で前記第１孔部に取り付け可能であることを特徴とする。
【０００８】
本発明の前記ゴルフクラブにおいて、前記第１ネジ具は、前記第１孔部から取り外され、かつ、前記第２錘部材を前記ゴルフクラブヘッドに固定するために前記第２孔部に取り付け可能であり、前記第２ネジ具は、前記第２孔部から取り外され、かつ、前記シャフトと前記第１錘部材とを前記ゴルフクラブヘッドに固定するために前記第１孔部に取り付け可能であることが望ましい。
【０００９】
本発明の前記ゴルフクラブにおいて、前記ゴルフクラブヘッドは、筒状のホーゼル部を含み、前記ホーゼル部は、前記シャフトが挿入される上側開口と、底面側に表れる下側開口とを有するシャフト差込孔を具えており、前記シャフトの先端には、ネジ孔が設けられたスリーブ部材が固着されており、前記第１孔部は、前記下側開口からヘッド内部にのびる空間と、前記シャフト差込孔に挿入された前記スリーブ部材の前記ネジ孔とを含んで形成されても良い。
【００１０】
本発明の前記ゴルフクラブにおいて、前記第１錘部材及び第２錘部材は、前記第１ネジ具及び前記第２ネジ具が挿入される貫通穴を有していても良い。
【００１１】
本発明の前記ゴルフクラブにおいて、前記第１錘部材は、前記スリーブ部材と前記第１ネジ具との間で保持されても良い。
【００１２】
本発明の前記ゴルフクラブにおいて、前記第１錘部材と前記第２錘部材とは、それぞれ、複数個の錘片を含んでいるのが望ましい。
【００１３】
本発明の前記ゴルフクラブにおいて、前記第１錘部材と前記第２錘部材とは、前記錘片の単位で互いの位置交換が可能であるのが望ましい。
【００１４】
本発明の前記ゴルフクラブにおいて、前記第１錘部材又は前記第２錘部材において、前記複数個の錘片は、いずれも同じ大きさであるが、異なる質量を有しているのが望ましい。
【００１５】
本発明の前記ゴルフクラブにおいて、前記第１錘部材又は前記第２錘部材において、前記複数個の錘片は、互いの位置が交換可能であるのが望ましい。
【００１６】
本発明の前記ゴルフクラブにおいて、前記第１ネジ具と、前記第２ネジ具とは、互いに異なる質量を有しているのが望ましい。
【発明の効果】
【００１７】
本発明のゴルフクラブは、ゴルフクラブヘッドと、ゴルフクラブヘッドに取り外し可能に固定されているシャフトと、前記ゴルフクラブヘッドに取り外し可能に固定されている錘部材とを有している。
【００１８】
ゴルフクラブヘッドの底面側には、第１孔部と、第２孔部とが設けられており、錘部材は、第１錘部材と、第２錘部材とを含んでいる。
【００１９】
第１孔部には、シャフトと第１錘部材とをゴルフクラブヘッドに固定するための第１ネジ具が取り付けられている。第２孔部には、第２錘部材をゴルフクラブヘッドに固定するための第２ネジ具が取り付けられている。
【００２０】
第１錘部材は、第１孔部から取り外され、かつ、第２ネジ具を利用して第２孔部に取り付け可能である。第２錘部材は、第２孔部から取り外され、かつ、第１ネジ具を利用して第１孔部に取り付け可能である。
【００２１】
従って、第１錘部材と、第２錘部材とは、互いの位置が交換可能である。換言すれば、シャフトをヘッドに取り付けるために利用される第１孔部は、ヘッドの重心位置を調整するための錘部材を取り付けるための孔部の一つとして利用される。
【００２２】
従って、本発明によれば、ヘッド底面側に設けられる第２孔部の数を減らし、ヘッドの設計自由度を損ねずに、ヘッド重心の調節機能と、シャフトの着脱機能とを両立させることができる。これは、特に、ヘッド体積の小さいフェアウェイウッド等において、有効である。
【図面の簡単な説明】
【００２３】
【図１】本発明の一実施形態に係るゴルフクラブの斜視図である。
【図２】本実施形態のゴルフクラブのゴルフクラブヘッドとシャフトとの結合部分の断面図である。
【図３】本実施形態のゴルフクラブのヘッド底面側から見た斜視図である。
【図４】図３の分解斜視図である。
【図５】図３のＢ−Ｂ断面図である。
【発明を実施するための形態】
【００２４】
以下、本発明の実施の一形態が図面に基づき説明される。
図１には、本実施形態のゴルフクラブ１の部分斜視図が示されている。ゴルフクラブ１は、ゴルフクラブヘッド（以下、単に「ヘッド」ということがある。）２と、シャフト３とを含んでいる。シャフト３は、後で詳細に説明されるが、ヘッド２に、着脱自在に取り付けられている。
【００２５】
本実施形態のヘッド２は、内部に中空部ｉ（図２に示される）が設けられたウッド型として構成されている。ウッド型のヘッドは、少なくともドライバー（＃１）、ブラッシー（＃２）、スプーン（＃３）、バフィ（＃４）及びクリーク（＃５）を含み、かつ、これらとは番手乃至名称が異なるが、ほぼ類似した形状を持つヘッドを含む。本発明の他の実施形態では、ヘッド２として、アイアン型、ユーティリティー型又はパター型が採用され得る。
【００２６】
ヘッド２は、例えば、金属材料で形成されており、例えば、ステンレス合金、マレージング鋼、チタン、チタン合金、マグネシウム合金又はアルミニウム合金が特に望ましい。これらは、１種又は２種以上組合せて用いられても良い。繊維強化樹脂が、ヘッド２の一部に用いられても良い。
【００２７】
ヘッド２は、フェース部４、クラウン部５、ソール部６、サイド部７及びホーゼル部８を含んでいる。
【００２８】
フェース部４は、ボールの打撃面であるフェース９を有している。クラウン部５は、ヘッド上面を構成するように、フェース９の上縁９ａからヘッド後方にのびている。ソール部６は、ヘッド底面を構成するように、フェース９の下縁９ｂからヘッド後方にのびている。サイド部７は、クラウン部４とソール部６との間を継いでおり、フェース９のトウ側縁９ｃからヘッド後方を通りフェース９のヒール側縁９ｄにのびている。ヘッド２の前後方向については、フェース９側を前方、その反対側が後方とされる。
【００２９】
ホーゼル部８は、クラウン部５のヒール側に設けられている。図２には、ホーゼル部８の断面図が示されている。ホーゼル部８は、シャフト３が挿入されるシャフト差込孔１０を有した円筒状に形成されている。シャフト差込孔１０は、ホーゼル部８の上端で開口する上側開口１０ａと、ソール部６（図１に示される）で開口する下側開口１０ｂとを有しており、ヘッド２を貫通してのびている。
【００３０】
本実施形態のシャフト差込孔１０には、予め、例えば、金属材料からなる軸受２０が、例えば溶接等で固着されている。この軸受２０には、例えば、内周面に、軸方向にのびる歯と溝とが交互に設けられたスプライン軸受が用いられている。
【００３１】
軸受２０の下方には、例えば、平ワッシャ１７が配置されている。平ワッシャ１７は、軸受２０の下端と、シャフト差込孔１０の段差１８との間に、軸方向のあそびを持って配されている。平ワッシャ１７は、軸受２０と段差１８によって、ヘッド２からの落下が防止される。
【００３２】
シャフト３は、例えば、繊維強化樹脂を用いて作られている。本実施形態のシャフト３は、パイプ状で形成されている。シャフト３の先端側（チップ側）には、スリーブ部材１１が固着されている。
【００３３】
スリーブ部材１１は、例えば、金属材料からなり、シャフト３が差し込まれるスリーブ本体１１Ａと、スリーブ本体１１Ａの下方に設けられた軸部１１Ｂとを具えている。
【００３４】
スリーブ本体１１Ａは、軸方向にのびる孔１６を有する筒状に形成されている。孔１６は、内周面１６ａと、底面１６ｂとを有し、上部は解放されている。孔１６には、例えば、接着剤等でシャフト３が予め固着されている。スリーブ本体１１Ａは、ホーゼル部８の内部に挿入される第１部分１２と、ホーゼル部８から外側に露出している第２部分１３とを一体に具えている。第２部分１３は、コーン状の外面を有し、ホーゼル部８の上端に係合するように、第１部分１２よりも大きい外径を有している。
【００３５】
シャフト３が予め固着されたスリーブ部材１１は、ホーゼル部８のシャフト差込孔１０の上側開口１０ａから差し込まれる。これにより、シャフト３が、ヘッド２に装着される。スリーブ本体１１Ａの第２部分１３がホーゼル部８の上端と当接することにより、スリーブ部材１１の下方への移動が規制される。
【００３６】
スリーブ部材１１の軸部１１Ｂには、スプライン部１４とネジ孔１５とが設けられている。
【００３７】
スプライン部１４は、軸部１１Ｂの外周面に形成されており、軸方向にのびる歯と溝とが円周方向に交互に設けられている。このスプライン部１４の外周面の凹凸は、シャフト差込孔１０に固着されている軸受２０の内周面の凹凸に、互いに噛み合うように挿入される。これにより、スリーブ部材１１（及びこれに固着されているシャフト３）は、ヘッド２に対して、その軸線周りの回転が規制され得る。
【００３８】
ネジ穴１５は、軸部１１Ｂの下端面に形成されており、スリーブ部材１１の軸方向にのびている。
【００３９】
図３には、本実施形態のゴルフクラブ１をヘッド底面側から見た斜視図、図４はその分解図である。図２乃至４に示されるように、ヘッド２の底面側には、第１孔部２１と、第２孔部２２とが設けられている。
【００４０】
図４に示されるように、本実施形態のゴルフクラブ１は、取り外し可能に固定されている錘部材３０を含んでいる。錘部材３０は、第１孔部２１に配されている第１錘部材３１と、第２孔部２２に取り付けられている第２錘部材３２とを含んでいる。
【００４１】
第１孔部２１は、図２及び図３に示されるように、シャフト差込孔１０の下側開口１０ｂを含んで形成されている。より詳細には、第１孔部２１は、下側開口１０ｂからヘッド内部側にのびる空間と、シャフト差込孔１０に装着されたスリーブ部材１１のネジ孔１５とを含んで形成される凹所である。従って、第１孔部２１は、ヘッド底面のヒール側に設けられる。図４に示されるように、本実施形態の第１孔部２１は、ヘッド底面を局部的に凹ませた凹部５０の上で開口している。
【００４２】
一方、第２孔部２２は、例えば、第１孔部２１よりもトウ側に設けられている。この実施形態では、一つの第２孔部２２が示されているが、設計自由度が許す範囲において、複数個の第２孔部２２が設けられても良い。
【００４３】
第１孔部２１には、シャフト３と、第１錘部材３１とをヘッド２に固定するための第１ネジ具２３が取り付けられている。第２孔部２２には、第２錘部材３２をヘッド２に固定するための第２ネジ具２４が取り付けられている。
【００４４】
本実施形態において、第１ネジ具２３と第２ネジ具２４とは、実質的に同一の形状を具えている。第１ネジ具２３及び第２ネジ具２４は、軸状体であり、ヘッド底面側（外面側）に位置する頭部２５と、頭部２５と反対側の端部を形成しているネジ軸部２６とを具えている。
【００４５】
第１ネジ具２３及び第２ネジ具２４は、同一の質量を有しても良いし、互いに異なる質量を有しても良い。本実施形態では、好ましい態様として、第１ネジ具２３及び第２ネジ具２４に、異なる比重の材料が用いられており、互いに異なる質量を有している。好ましい実施形態では、第１ネジ具２３及び第２ネジ具２４には、例えば、ステンレス、チタン、アルミニウム合金、銅合金又はタングステン合金等の金属材料が用いられる。必要に応じて、第１ネジ具２３及び第２ネジ具２４には、樹脂材料が用いられても良い。
【００４６】
頭部２５は、例えば、円盤状をなしており、端面にレンチ等の工具等を差し込んでシャフトの着脱を行うための操作孔２７が設けられている。この例では、操作孔２７は、四角形の凹部で形成されているが、六角形状や星形など任意の形状が採用され得る。
【００４７】
第１錘部材３１及び第２錘部材３２は、第１ネジ具２３及び第２ネジ具２４が挿入される貫通穴４０を有し、本実施形態では円環状に形成されている。本実施形態において、第１錘部材３１と第２錘部材３２とは、互いに異なる質量を有している。さらに、第１錘部材３１及び第２錘部材３２は、それぞれ、分離可能な複数個の錘片３１ａ乃至３１ｃ、３２ａ乃至３２ｃから構成されている。各錘片３１ａ乃至３１ｃ、３２ａ乃至３２ｃは、いずれも同一形状を有している。ただし、錘片３１ａ乃至３１ｃ、３２ａ乃至３２ｃの形状は、異なっても良い。特に、少なくとも、錘片３１ａ乃至３１ｃ、３２ａ乃至３２ｃの軸方向の厚さについては、種々異ならせて、質量を変化させても良い。逆に、錘片３１ａ乃至３１ｃ、３２ａ乃至３２ｃは、同一形状であるが、比重を異ならせることで、互いに異なる質量を有することもできる。
【００４８】
図２に示したように、本実施形態の第１ネジ具２３は、ネジ軸部２６を用いて、第１錘部材３１とシャフト３とをヘッド２に固定しうる。具体的には、第１ネジ具２３は、ヘッド底面側の第１孔部２１から挿入される。本実施形態では、平ワッシャ１７と頭部２５との間に、スプリングワッシャ２８が挿入される好ましい態様が示されている。なお、平ワッシャ１７の部分は、ヘッド２の一部で置き換えられても良い。
【００４９】
一方、ヘッド２のシャフト差込孔１０には、上側開口１０ａから、第１錘部材３１と、予めスリーブ部材１１に固着されたシャフト３とが挿入される。この際、第１錘部材３１は、平ワッシャ１７によって下方への落下が防止される。
【００５０】
第１ネジ具２３のネジ軸部２６は、スプリングワッシャ２８、平ワッシャ１７及び第１錘部材３１の貫通孔４０を通って、スリーブ部材１１のネジ孔部１５の中にねじ込まれる。第１ネジ具２３の回転の移動は、軸受２０で拘束されるため、ねじ込みにより、スリーブ部材１１が下方へと引き込まれ、第２部分１３とホーゼル部８のネジ部の摩擦力でシャフト３がヘッド２に固定され得る。同様に、第１錘部材３１は、平ワッシャ１７及びスプリングワッシャ２８を介在させて、スリーブ部材１１と第１ネジ具２３との間で保持される。
【００５１】
第１ネジ具２３のネジ軸部２６が、スリーブ部材１１のネジ孔１５から緩められて取り外されることにより、シャフト３は、スリーブ部材１１とともにヘッド２のホーゼル部８から取り外される。同様に、第１錘部材３１が、第１孔部２１から取り外される。従って、本実施形態のゴルフクラブ１は、第１ネジ具２３のネジの締め付け又は緩めの操作のみにより、シャフト３の着脱や第１錘部材３１の交換が可能になる。
【００５２】
図５には、図３のＢ−Ｂ断面図が示されている。第２孔部２２には、第２錘部材３２をヘッド２に固定するための第２ネジ具２４が取り付けられている。
【００５３】
第２孔部２２は、ヘッド２を凹ませた凹部４３として形成されており、その底部には、中空部ｉ側にのびるネジ穴１９がさらに形成されている。
【００５４】
第２ネジ具２４は、上述のように、第１ネジ具２３と同様の構成を具えている。第２ネジ具２４は、第２錘部材３２の貫通孔４０を通って、ネジ孔部１９の中にねじ込まれる。これにより、第２錘部材３２は、第２ネジ具２４の頭部２５と凹部４０との間で保持される。
【００５５】
一方、第２ネジ具２４を第２孔部２２のネジ孔部１９から緩めて取り外すことにより、第２錘部材３２がヘッド２から取り外し可能になる。
【００５６】
以上のように、本実施形態のゴルフクラブ１では、第１錘部材３１は、第１孔部２１から取り外すことができる。取り外された第１錘部材３１は、第２ネジ具２４を用いて第２孔部２２側に取り付けることができる。同様に、第２錘部材３２は、第２孔部２２から取り外すことができる。しかも、取り外された第２錘部材３２は、第１ネジ具２３を用いて第１孔部２１側に取り付けることができる。
【００５７】
従って、第１錘部材３１と、第２錘部材３２とは、互いの位置が交換可能である。換言すれば、シャフト３をヘッド２に取り付けるために利用される第１孔部２１は、ヘッド２の重心位置を調整するための錘部材を取り付けるための孔部の一つとして利用される。従って、本発明によれば、ヘッド底面側に設けられる第２孔部２２の数を減らし、ヘッドの設計自由度を損ねずに、ヘッド重心の調節機能と、シャフトの着脱機能とを両立させることができる。これは、特に、ヘッド体積の小さいフェアウェイウッド等において、有効である。
【００５８】
さらに、本実施形態では、第２ネジ具２４は、第２孔部２２から取り外され、かつ、シャフト３及び第１錘部材３１をヘッド２に固定するために第１孔部２１に取り付けることができる。逆に、第１ネジ具２３は、第１孔部２１から取り外され、かつ、第２錘部材３２を第２孔部２２に固定するために、第２孔部２２にも取り付けることができる。従って、本実施形態のように、第１ネジ具２３と第２ネジ具２４との質量が異なる場合には、これらのネジ具の位置交換によっても、ヘッド重心の位置をより大きい範囲で調節することができる。
【００５９】
本発明の好ましい他の実施形態として、第１錘部材３１は、質量が異なる複数種類を含み、その中から最適な質量が選択されて第１孔部２１に取り付けられる。同様に、第２錘部材３２は、質量が異なる複数種類を含み、その中から最適な質量が選択されて第２孔部２２に取り付けられる。これらの第１錘部材３１及び第２錘部材３２には、最適な質量のものが採用されることで、ゴルファーに合ったヘッド重心の位置が得られる。
【００６０】
また、第１錘部材３１及び第２錘部材３２が、互いの位置を交換されることにより、ヘッドの重心をトウ側又はヒール側に移動させることができる。この際、第１錘部材３１と第２錘部材３２とは、分割された錘片３１ａ乃至３１ｃ及び３２ａ乃至３２ｃの単位で互いの位置交換が可能とされることにより、よりバリエーションに富んだ重量配分を実現することができる。さらに、第１錘部材３１又は第２錘部材３２の各々において、異なる質量を有する複数個の錘片３１ａ乃至３１ｃ及び３２ａ乃至３２ｃは、互いの位置が交換可能とされている。このため、第１錘部材３１又は第２錘部材３２の各々において、その重心高さを変えることができる。従って、本実施形態によれば、ヘッド重心の高さについても調整することができる。
【００６１】
本発明において、第２孔部２２の位置は、特に限定されるものではない。上記実施形態では、第２孔部２２は、第１孔部のトウ側に設けられているが、前側や後側でも良い。
【００６２】
以上、本発明の実施形態が、詳細に説明されたが、本発明は、上記の実施形態に限定されることなく種々の態様に変更して実施することができる。
【符号の説明】
【００６３】
１    ゴルフクラブ
２    ヘッド
３    シャフト
１０  シャフト差込孔
１１  スリーブ部材
１５  ネジ孔
２１  第１孔部
２２  第２孔部
２３  第１ネジ具
２４  第２ネジ具
３０  錘部材
３１  第１錘部材
３２  第２錘部材
【図１】
2015008820.tif 000003
【図２】
2015008820.tif 000004
【図３】
2015008820.tif 000005
【図４】
2015008820.tif 000006
【図５】
2015008820.tif 000007